(57)【要約】【課題】  サーバ機器を搭載するサーバラックにおいて、サーバラック内の温度調節を安価に行うことができるサーバラックを提供することにある。【解決手段】  サーバラック１００内に具備した温度センサー１０１および騒音センサー１０２が検知する温度や騒音の情報をもとに、ドア開閉制御部２０３は、フロントドア１０３、リアドア１０４の開口機構部２０１、２０２を開閉移動させることで、サーバラック１００内の温度調節を行う。【選択図】図１
2008097163.tif 000002
【特許請求の範囲】
【請求項１】
サーバを搭載するサーバラックにおいて、
前記サーバラック内の温度を検知する温度センサーと、
前記サーバラック内の温度の上限値および下限値を記憶するドア開閉制御部と、
前記サーバラックを覆うフロントドアおよびリアドアと、
前記フロントドアを開閉するフロントドア開閉機構部と、
前記リアドアを開閉するリアドア開閉機構部とを備え、
前記ドア開閉制御部は、前記温度センサーが検知した温度が前記記憶した上限値を超えているか否かを判断し、上限値を超えた場合は、前記フロントドア開閉機構部またはリアドア開閉機構部を制御して、前記フロントドアまたはリアドアを開閉することを特徴とするサーバラック。
【請求項２】
前記サーバラックはさらに、
前記サーバラック内の音量を検知する騒音センサーとを備え、
前記ドア開閉制御部は、前記サーバラック内の音量の上限値および下限値を記憶し、
前記ドア開閉制御部は、前記温度センサーが検知した温度が前記記憶した上限値と下限値の間である場合は、前記騒音センサーが検知した音量が前記記憶した上限値または下限値を超えているか否かを判断し、超えていない場合は、前記フロントドア開閉機構部またはリアドア開閉機構部を制御して、前記フロントドアまたはリアドアを開閉することを特徴とする請求項１記載のサーバラック。
【発明の詳細な説明】
【技術分野】
【０００１】
本発明は、サーバラックに関し、特に、ラック内部に具備された温度センサー、騒音センサーの情報からフロントドア、リアドアの開口部面積を変化させることを可能としたサーバラックに関する。
【背景技術】
【０００２】
サーバラックの温度調節における背景技術として、特許文献１および特許文献２がある。
【０００３】
【特許文献１】特開２００３−２３３８８３
【特許文献２】特開２００４−３０９００７
【発明の開示】
【発明が解決しようとする課題】
【０００４】
上記の各背景技術の方法では、専用の温度調節用機器を搭載する必要があり、機器の価格や維持コストが高くなってしまうという問題がある。
【０００５】
本発明の目的は、サーバ機器を搭載するラックにおいて、ラック内の温度調節ができるサーバラックを安価に提供することにある。
【課題を解決するための手段】
【０００６】
上記目的を達成するために本発明は、サーバラックに内部温度を検知するセンサー、騒音値を検知するセンサーおよび開口部面積を変化させることができるフロントドア、リアドアを具備することにより実現できる。
【発明の効果】
【０００７】
本発明によれば、ラック内に具備した温度センサー、騒音センサーの情報からフロントドア、リアドアの開口部を変化させることでラック内の温度調節ができるサーバラックを安価に実現することが可能になる。
【発明を実施するための最良の形態】
【０００８】
本発明の一実施形態について各図を用いて説明する。
【０００９】
図１、図２は本発明の構成である。サーバラック１００は、温度センサー１０１および騒音センサー１０２をラック内に配置する。図１に示すように、温度センサー１０１および騒音センサー１０２は、ラック内の温度差、騒音差を考慮し、サーバラックの各隅８個に配置するものとする。また、開口部面積を変化させることのできるフロントドア１０３およびリアドア１０４を、サーバラック１００の前面と背面に配置する。なお、現在のサーバ機器のほとんどは、前面吸気、後面排気となっているため、本実施形態では、サイドパネル１０５には開口部面積が変更できないものとしてあるが、必要に応じて、サイドパネル１０５にも、フロントドア１０３と同様に、開口部面積を変化させることができる構成を採用しても良い。
【００１０】
サーバラック１００は、図２に示すように、フロントドア１０３およびリアドア１０４の開閉動作を行うフロントドア開閉機構部２０１、リアドア開閉機構部２０２を備える。ドア開閉制御部２０３は、フロントドア開閉機構部２０１、リアドア開閉機構部２０２を制御するものとし、事前に各センサーに対して設定された温度および騒音値の設定値により、フロントドア１０３およびリアドア１０４開閉動作を行うものとする。ドア開閉制御部２０３は、これら温度および騒音値の基準値（上限値及び下限値）を、ドア開閉制御部２０３内の記憶部（図示せず）に予め記憶しておく構成とする。また、これらの情報を管理サーバ等に送信するための通信制御部２０４が備えられている。
【００１１】
図３は、サーバラック１００の具体的な処理フローを示す。まず、各センサーに対して開閉を行う基準値を設定する（ステップ１１）。具体的には、温度センサー１０１の上限値および下限値を設定する。この上限値とはこの温度を超えたら必ず開口部を開けるとする設定値であり、下限値とはこの温度を下回ったら必ず開口部を閉めるとする設定値である。なお、この基準値は、オペレータによって、サーバ外部から入力装置（図示せず）によって入力される。
【００１２】
次に、騒音センサー１０２に開閉の基準値を設定する（ステップ１２）。サーバ機器の安定稼動を最優先するため、この騒音設定値は、ラック内温度が上記の上限値と下限値の間にある場合にのみ有効とする。この騒音設定値は、基準値を超えたら開口部を閉め、下回ったら開口部を開けるとする設定値である。
【００１３】
上記の各設定値が設定された後、ドア開閉制御部２０３は、温度センサー１０１が検知した温度が上限値を超えていないか確認し（ステップ１４）、上限値を超えていた場合は（ステップ１１：Ｙｅｓ）、ドア開閉制御部２０３は、フロントドア１０３、リアドア１０４の開口部を開ける（ステップ１５）。ステップ１４において、上限値を超えていない場合は（ステップ１１：Ｙｅｓ）、ドア開閉制御部２０３は、次に温度センサー１０１検知した温度が下限値を下回っていないかを確認し（ステップ１６）、下限値を下回っている場合は（ステップ１６：Ｙｅｓ）、ドア開閉制御部２０３は、フロントドア１０３、リアドア１０４の開口部を閉める（ステップ１７）。
【００１４】
ステップ１６において、温度センサー１０１が検知した温度が下限値を下回っていない場合（ステップ１６：Ｎｏ）、つまり温度センサー１０１が検知した温度が上限値と下限値の間である場合には、ドア開閉制御部２０３は、騒音センサー１０２が検知した値を確認し（ステップ１８）、基準値を超えている場合は（ステップ１８：Ｙｅｓ）、ドア開閉制御部２０３は、フロントドア１０３、リアドア１０４の開口部を閉める。ステップ１８において、基準値を超えていない場合は（ステップ１８：Ｎｏ）、ドア開閉制御部２０３は、サーバラック１００のフロントドアおよびリアドアの現在の開閉状態を維持する（ステップ１９）。
【００１５】
図４は、フロンドドアおよびリアドアの開閉例である。以降、フロントドアを例にとって説明すると、図４（ａ）は、フロントドア開閉機構部２０１が、フロントドア面と平行に移動してフロントドア１０３が開閉する構成である。図４（ｂ）は、フロントドア開閉機構部２０１が、フロントドア面と垂直に移動してフロントドア１０３が開閉する構成である。図４（ｃ）は、フロントドア開閉機構部２０１が、フロントドア面に対して回転移動してフロントドア１０３が開閉する構成である。
【００１６】
以上により、ラック内に具備した温度センサー、騒音センサーの情報からフロントドア、リアドア、サイドパネルの開口部を変化させることでラック内の温度調節ができるサーバラックを安価に実現することが可能になる。
【図面の簡単な説明】
【００１７】
【図１】実施例の機器構成概略図
【図２】実施例の機器構成ブロック図
【図３】実施例の運用フローチャート
【図４】実施例のフロンドドアおよびリアドアの開閉例
【符号の説明】
【００１８】
１００・・・サーバラック
１０１・・・温度センサー
１０２・・・騒音センサー
１０３・・・フロントドア
１０４・・・リアドア
１０５・・・サイドパネル
２０１・・・フロントドア開閉機構部
２０２・・・リアドア開閉機構部
２０３・・・ドア開閉制御部
２０４・・・通信制御部
【図１】
2008097163.tif 000003
【図２】
2008097163.tif 000004
【図３】
2008097163.tif 000005
【図４】
2008097163.tif 000006